(57)【特許請求の範囲】
【請求項１】
前面と裏面とを有する少なくとも弾性ポリウレタンスキン（９）を含む成形品を製造する方法であって、
少なくとも１つのシーム（５）を形成する少なくとも２つの相互移動可能な金型部分（２〜４）を含む少なくとも第１の金型部品（１）を有する金型を準備する工程と、
少なくとも１つの反応性ポリウレタン混合物を前記第１の金型部品（１）の表面（７）に塗布し、前記弾性ポリウレタンスキン（９）を、その前面が前記金型表面（７）に当てられた状態で成形する工程と、
相互移動可能な金型部分（２〜４）を互いに遠ざける工程と、
成形品を金型から取り出す工程と、を有する方法において、
前記第１の金型部品（１）は、更に、弾性材料で作られた取外し可能な可撓性ライナー（６）を有し、このライナーは、前記金型表面（７）の少なくとも一部を形成し且つ前記シーム（５）を少なくとも部分的に被覆するように前記金型部分（２〜４）の上に配置され、可撓性ライナー（６）を前記金型部分（２〜４）の上に配置した後、弾性ポリウレタンスキン（９）を形成する前記工程が行われ、その結果、前記ライナーによって被覆された領域において、成形品の前面に前記シームの跡が残らないことを特徴とする方法。
【請求項２】
前記金型表面（７）は、形状が全体として凹状である、請求項１記載の方法。
【請求項３】
成形品を金型から取り出す前記工程は、成形品を可撓性ライナー（６）と一緒に相互移動可能な金型部分（２〜４）から取り出す工程と、可撓性ライナー（６）を成形品から取り外す工程と、を有する請求項１又は２記載の方法。
【請求項４】
前記反応性混合物は、前記第１の金型部分（１）に吹き付けられる、請求項１〜３の何れか１項記載の方法。
【請求項５】
前記金型は、第１の金型部品（１）と協働して閉鎖金型キャビティを形成する少なくとも第２の金型部品（１１）を有し、前記反応性ポリウレタン混合物は、反応射出成形（ＲＩＭ）法に従って塗布される、請求項１〜３の何れか１項記載の方法。
【請求項６】
前記反応性ポリウレタン混合物は、発泡剤を含み、前記反応性ポリウレタン混合物は、前記金型表面（７）に成形被着された一体スキンとして前記スキン（９）を備えたポリウレタンフォームを作るよう配合されている、請求項５記載の方法。
【請求項７】
前記反応性ポリウレタン混合物は、密度が４００ｋｇ／ｍ3以上、好ましくは、７００ｋｇ／ｍ3以上の弾性非気泡質又は微小気泡質ポリウレタンスキン（９）を作るよう配合されている、請求項１〜５の何れか１項記載の方法。
【請求項８】
相互移動可能な金型部分（２〜４）を互いに引き離して成形品を金型から取り出す前に、少なくとも第１の裏層（１２）を成形スキン（９）の裏側に成形被着させることを特徴とする請求項１〜７の何れか１項記載の方法。
【請求項９】
前記第１の裏層（１２）を成形する工程は、フォーム材料を得るための発泡可能な配合物を成形スキン（９）の裏面に塗布する工程を有する、請求項８記載の方法。
【請求項１０】
前記発泡可能な配合物は、成形スキン（９）と、スキン（９）の裏側に被着された第２の構造的裏層（１０）との間に塗布され、発泡可能な配合物から得られたフォーム材料は、構造的裏層（１０）を成形スキン（９）の裏面に結合することを特徴とする請求項９記載の方法。
【請求項１１】
相互移動可能な金型部分（２〜４）を互いに引き離して成形品を金型から取り出す前に、第２の構造的裏層（１０）をフォーム層（１２）の裏面に成形被着させる、請求項９記載の方法。
【請求項１２】
前記第１の裏層は、剛性材料で作られた構造的裏層（１０）である、請求項８記載の方法。
【請求項１３】
前記可撓性ライナー（６）は、スキン（９）の前面の形状に従ってあらかじめ形作られる、請求項１〜１２の何れか１項に記載の方法。
【請求項１４】
前記可撓性ライナー（６）は、成形シリコーンライナーから成る、請求項１３記載の方法。
【請求項１５】
前記可撓性ライナー（６）は、スキン（９）が成形被着される側に、所定のテクスチャー及び／又はしぼを有する、請求項１〜１４の何れか１項記載の方法。
【請求項１６】
前記可撓性ライナー（６）の平均厚さは、０．０３〜１５ｍｍである、請求項１〜１５の何れか１項記載の方法。
【請求項１７】
可撓性ライナーが少なくとも一部に形成された前記金型表面（７）に金型内塗料を塗布し、その後、反応性ポリウレタン混合物を前記第１の金型部品（１）の金型表面（７）に塗布して前記スキン（９）を成形する、請求項１〜１６の何れか１項記載の方法。
【請求項１８】
反応性ポリウレタン混合物を前記第１の金型部品（１）の表面（７）に塗布して前記スキン（９）を成形する前に、インサート（１６）を、可撓性ライナー（６）によって形成された成形表面（７）上に配置し、前記インサートは、少なくとも１つの周縁部を有し、この周縁部が可撓性ライナー（６）上に設けられた少なくとも１つの直立した縁部（１７）に当接した状態で配置される、請求項１〜１７の何れか１項記載の方法。
【発明の詳細な説明】
【０００１】
本発明は、表面及び裏面を有する少なくとも弾性ポリウレタンスキンを含む成形品、特に自動者部品を製造する方法であって、少なくとも１つのシームを形成する少なくとも２つの相互移動可能な金型部分を含む少なくとも第１の金型部品を有する金型を準備する工程と、少なくとも１つの反応性ポリウレタン混合物を第１の金型部品の表面に塗布し、上記表をこの金型表面に当てた状態でスキンを成形する工程と、相互移動可能な金型部分を互いに遠ざける工程と、成形品を金型から取り出す工程とを有する方法に関する。
【０００２】
実際、相互運動可能な金型部分を有する金型部品を用いると、成形品の設計上の自由度が増大する。これら金型部品は特に、いわゆるアンダーカットを備えた金型でも比較的高い捩り剛性又は曲げ剛性の成形品の製造を可能にする。成形品のスキン又は前面を成形するかかる金型を用いた場合の欠点は、金型部品の間のシームの仕上がりの度合いが最も重要になり、その結果、金型部分の間のシームの跡形の付いた最適ではない品質の物品が得られることがあるという点にある。
【０００３】
この欠点を無くすため、スキンを第１の金型で製造し、その後、別の裏層又は裏当て層が被着されている別の金型に移す。かかる方法は例えば、国際公開第９３／２３２３７号パンフレットに開示されている。スキンが十分に可撓性であり、第１の金型の開口部が十分に広い場合、たとえ金型がアンダーカットを備えていても、相互移動可能な金型部分又はいわゆるスライダを用いる必要なく、スキンを金型から取り出す（脱型する）ことができる。次に、より剛性の高い裏当て層が被着されている第２の金型に必要な可動金型部分又はスライダを設ける。しかしながら、この公知の方法の欠点は、設計上の自由度が幾分制限されるということにある。これにより、例えば、スキンを脱型するには剛性が高すぎるようにするほどスキンの或る領域のスキン厚さを大きくすることができず、又は断面が大きな角度にわたって延びる３次元スキンを形成してスキンを脱型しなければならない金型部品のキャビティが比較的狭くなるようになる。この公知の方法の別の欠点は、アンダーカットの場合、裏当て層を含む物品全体をたった１つの金型（国際公開第９３／２３２３７号パンフレットの図１に示されているような金型）で成形することができず、第１の金型で成形されたスキンを第２の金型に移さなければならないようになる。当然のことながら、かかる移送工程を無くすことができれば、これにより、必要な取扱い工程が少なくなるという理由だけでなく、必要なスキン材料が少なくなると理由で製造費が減少する。というのは、互いに異なるインサートを挿入するよう後で切除される物品の領域にスキン又は裏当て材料を被着しなくても済むからである。
【０００４】
したがって、本発明の目的は、相互移動可能な金型部分を備えた金型を用いる公知の成形法よりも高い設計上の自由度をもたらすことができ、しかも成形品の目に見える表面上の可動金型部分の間のシームによって残される場合のある跡形の問題を解決する少なくとも弾性ポリウレタンスキンを有する成形品を製造する新規な方法を提供することにある。
【０００５】
この目的のため、本発明の特徴によれば、第１の金型部品は、金型表面の少なくとも一部を形成し、シームを少なくとも部分的に被覆するよう金型部分上に配置された弾性材料で作られている取外し可撓性ライナーを更に有する。
【０００６】
相互移動可能な金型部分の間のシームはライナーによって覆われているので、これは、成形品の外面上に跡形を残さない。さらに、ライナーが可撓性であるということにより、ライナーをこれがたとえアンダーカットを備えていても、成形品から取り出すことができる。
【０００７】
母金型で成形される物品のネガ（成形品とは逆の凹凸）の形態を示すシリコーン金型はそれ自体既に、米国特許第５，７４７，１６７号明細書及び米国特許第５，９３８，９９３号明細書で知られている。米国特許第５，７４７，１６７号明細書によれば、シリコーン金型は、射出成形法により内装品、例えば、ダッシュボードを製造するのに必要な金型費を減少させるようになっていた。しかしながら、米国特許第５，７４７，１６７号明細書も米国特許第５，９３８，９９３号明細書も、相互移動可能な金型部品相互間のシームを被覆する可撓性で着脱自在なライナーを用いることを教示していない。事実、シリコーン金型部品を担持した母金型は、単一の部品から成る。この金型が米国特許第５，９３８，９９３号明細書に図示されているようにアンダーカットを備えている場合、成形品は、これがもし十分に可撓性の物品、例えば、開示されているようなクッションでないとすれば、脱型できない。
【０００８】
本発明の方法の好ましい実施形態では、成形品を金型から取り出す工程は、成形品を可撓性ライナーと一緒に相互移動可能な金型部分から取り出す工程と、可撓性ライナーを成形品から取り外す工程とから成る。
【０００９】
最初に、成形品をライナーと共に金型から取り出すことにより、ライナーを成形品から容易に取り出すことができる。次の物品の成形のため、次に、ライナーを再び相互移動可能な金型部分上に配置することができる。
【００１０】
本発明は又、本発明の方法に用いられる金型であって、スキンの表面が成形被着される金型表面を形成し、少なくとも１つのシームを形成する少なくとも２つの相互移動可能な金型部分から成る少なくとも第１の金型部品を有し、第１の金型部品は、スキンが成形被着される側に任意的に塗布されていて、金型表面の少なくとも一部を形成し、シームを少なくとも部分的に被覆するよう金型部分上に配置された弾性材料で作られている着脱自在な可撓性ライナーを更に有していることを特徴とする金型を提供する。
【００１１】
本発明の別の利点及び特徴は、本発明の方法及び金型の幾つかの特定の実施形態についての以下の説明から明らかになろう。この説明は、例示のために与えられているに過ぎず、特許請求の範囲に記載された本発明の範囲を限定するものではない。説明中に用いる符号については図面を参照されたい。
【００１２】
概略的には、本発明は、物品の前面を形成するようになっている弾性ポリウレタンスキンを有する成形品を製造する新規な方法を提供する。成形品は、例えば、ダッシュボード又は計器パネル、ドアカバー、コンソール及びグローブボックス等の自動車の内部装備品（内装品）である。ポリウレタンスキンに加え、成形品は、通常、構造的裏層即ち及び剛性支持部を有し、かかる構造的裏層は、スキンの裏面に直接、又は、ソフトな感触をもたらすためにフォーム層の中間部を介して結合又は一体化されるのが良い。
【００１３】
実際には、内装品の複雑な形状、特に、アンダーカットの存在に起因して、内装品は、しばしば、スライダ、換言すれば相互移動可能な金型部分を有する金型内で製造されることになる。相互移動可能な金型部分の間のシーム即ち合わせ目の跡形又は圧痕を内装品の目に見える側面において無くそうとする場合、従来、比較的高価な単一部品ニッケル又はガルバノスケールを有する分離金型でスキンを作り、次に、相互移動可能な金型部分を有する第２の金型に移送していた。
【００１４】
図１〜図８に示す本発明の方法では、一部品金型表面を有する金型を用いることなしに、相互移動可能な金型部分の間のシームの目に見える跡形又は圧痕を生じさせることを回避する。ポリウレタンスキン及び任意的に更なる裏層を成形するのに用いられる、図１に示す下側金型部品１は、例えば、１つの基本金型部分２と２つのいわゆるスライダ３，４とを含む３つの相互移動可能な金型部分を有する。これらの金型部分２〜４は、全体として凹状の形状及びアンダーカット１５を有する金型表面を形成する。成形品を型から取り出す（脱型する）ことができるようにするために、スライダ３，４を図５に示す位置に引っ込めることができる。閉鎖位置では、互いに異なる相互移動可能な金型部分２〜４はシーム５に沿って互いに当接する。かかる金型構造は当業者には既に知られているので、互いに異なる金型部分２〜４の間の機械的連結方式及び金型部分２〜４を相互移動させる機構に関し、詳細には説明しない。
【００１５】
本発明の方法の本質的な特徴は、下側金型部分１が相互移動可能な金型部分２〜４を有するだけでなく、弾性材料で作られた取外し可能な可撓性ライナー６を有することにある。このライナー６は、金型部分２〜４上に配置されて、金型表面７の少なくとも一部を形成すると共に、相互移動可能な金型部分２〜４の間のシーム５を少なくとも部分的に覆うようになっている。図１に示す実施形態では、ライナー６は、下側金型部分１の金型表面７全体を形成し、したがって、シーム５を完全に覆っている。しかしながら、その他の場合、ライナー６が金型部分２〜４の一部だけを覆っていても良く、ライナーによって形成される金型表面とライナーに覆われていない金型部分２〜４によって形成される金型表面と間の移行部は、後で切除される領域、或いは、インサート又は他の被覆材で覆われる領域に位置している。１つの基本金型部分２及び２つのいわゆるスライダ３，４を有するかかる金型の一例を図１１に示す。
【００１６】
可撓性ライナー６は、開放金型を用いて吹付け成形し又は閉鎖金型を用いて射出成形又は流し込み成形することによって物品が成形される金型表面の少なくとも一部を形成するので、この物品の表面特性、特にテクスチャー(表面模様又は表面組織)又はしぼ(grain)であり通常は革テクスチャーは、ライナー表面７のテクスチャー又はしぼで決まることになる。ライナーは、好ましくは、成形すべきスキン又は物品の目に見える前面の形状にしたがってあらかじめ形作られる。実際には、かかるライナー６を製造する種々の方法が存在する。第１の方法として、熱可塑性材料のシートを熱成形することによってライナーを製造することが可能である。かかる熱成形法では、シートを金型表面に当てて形成し、このシートが所望の形状及び表面構造又はテクスチャーを受け入れるようにする。ライナー６を製造する別のより好ましい方法は、ライナーを閉鎖金型内で、液状の硬化可能な材料、例えば、液状シリコーン又は熱可塑性材料から始めて成形する方法である。これは、図１に示す下側金型部品１と実質的に同一の下側金型部品と、この下側金型部品に嵌まり且つ成形すべき物品の形状及び表面のしぼ又はテクスチャーを有する上側金型部品とから成る別個の閉鎖金型で実施できる。かかる技術は、例えば、米国特許第５，７４７，１６７号明細書及び米国特許第５，９３８，９９３号明細書に開示されており、これら米国特許の開示内容を本明細書の一部を形成するものとしてここに引用する。これら米国特許では、シリコーンライナーを製造するのに再現されるのが望ましい物体により形成されるマスターピースが用いられる。しかしながら、本発明の方法では、可撓性ライナーは、好ましくは、ニッケル、より一般的にはガルバノ又は電型金型表面に当てて成形される。かかるガルバノ金型表面の製造法は、事実上知られており、例えば、革巻きモデルから始めて、成形されるスキンが当たる金型表面を作る。しかしながら、本発明の方法の場合、ネガのニッケルスケールの代わりに、ポジのニッケルコア（ネガの可撓性ライナーがこれに当てて成形されるようになっている）を作成する追加の中間成形工程が必要になる。
【００１７】
ライナーは、通常、平均厚さが０．０３ｍｍ〜１５ｍｍ、好ましくは、０．０５〜５ｍｍである。物品の目に見える品質が非常に優れたものであることが必要というわけではない場合、可撓性ライナーの平均厚さは、例えば皮革等の別の材料が物品の前面に糊付けされる場合、０．０３ｍｍよりも小さくても良いし、或いは、１５ｍｍよりも大きくても良い。ライナーの平均厚さは、ライナーの体積を測定し、この体積を金型表面を形成するライナーの面積で割り算することにより決定される。ライナーを下側金型部品１内に容易に位置決めする観点では、これよりも大きな厚さが好ましく、例えば、厚さが２〜５ｍｍである。しかしながら、図１０に示すように、相互移動可能な金型部分２〜４の凹部に嵌まる１以上の局部突起又は増肉部８を設けても、下側金型部品１内へのライナーの正確な位置決めが容易になる。
【００１８】
ライナー６を金型部分２〜４の表面に当てた状態に維持するため、そして任意的に、可撓性ライナー６の形状をこれら金型部分２〜４の表面の形状に一致させるため、ライナーは、好ましくは、金型部分２〜４の表面全体にわたって分布して設けられた開口１８を介して働く真空によって吸引され、それに押し付けられる。
【００１９】
可撓性ライナー６を金型内に位置決めした後、反応性ポリウレタン混合物を金型表面７に塗布して、図２に示すように、弾性ポリウレタンスキン９をその前面が金型表面に当てられた状態で成形する。スキン９は通常、平均厚さが０．１〜３ｍｍであり、普通、０．５〜１．５ｍｍである。しかしながら、或る特定の領域、例えばコーナ部では、実際のスキン厚さはこれらの値から相当なばらつきを有する場合がある。ポリウレタンスキン９を成形する種々の方法が存在する。
【００２０】
第１の方法としては、反応性ポリウレタン混合物を特に欧州特許第０３０３３０５号明細書に記載されている技術に従って金型表面７に吹き付けるのがよい。例えば欧州特許第０３７９２４６号明細書に開示されているように光安定性ポリウレタン反応性混合物を用いることができる。しかしながら、他の実施形態では、最初に、金型内塗料、特に、水性ペイント塗料又は溶液型ペイント塗料を金型表面に塗布してもよい。この場合、この塗布後に被着されるスキン材料は必ずしも光安定性である必要はなく、例えば、芳香族ポリウレタン系材料をスキン９に用いることができるようになっている。
【００２１】
ポリウレタンスキン材料を開放金型表面に吹き付ける代わりに、ポリウレタンスキン材料を、閉鎖金型を用いて特に反応射出成形（ＲＩＭ）法に従って流し込み成形又は射出成形することにより被着させてもよい。この場合、当然のことながら、閉鎖金型キャビティを形成する第２の上側金型部品が設けられる。ＲＩＭ法に使用することができる特定の反応性ポリエチレン性混合物は、国際公開第９８／１４４９２号パンフレットに開示されている。しかしながら、この実施形態においても、最初に、金型内塗料又はペイントを金型表面に塗布するのがよく、従って、スキンそれ自体の材料が光安定性である必要がないようになっている。
【００２２】
先の実施形態では、反応性ポリウレタン混合物は、発泡剤を含まず、或いはこれをほんの少量しか含まず、したがって通常は４００ｋｇ／ｍ3以上、好ましくは７００ｋｇ／ｍ3以上の密度を有する非気泡質又は微小気泡質スキンを得た。しかしながら、閉鎖金型を用いてスキン９を作る場合、一体弾性ポリウレタンスキンを呈するポリウレタンフォームを作るために、発泡剤をポリウレタン配合物中に含ませることが可能である。
【００２３】
スキン９を成形した後、スキン９を金型から取り出し、それを使用して、成形品、特に内装品を作ることができる。この更なる加工の間、異なる裏層、例えば、スキンの裏面に直接的に、或いは、スキンとの間に発泡されたフォーム層の中間部を介して間接的に糊付け又は接合できる剛性の構造的裏層をエラストマースキンに被着させ又は付けることができる。この構造的裏層は、例えばＳ−ＲＩＭ（構造的ＲＩＭ、ガラス繊維マットの挿入）、Ｒ−ＲＩＭ（強化ＲＩＭ）、ポリウレタン反応混合物中に混合されるガラス又は他の繊維）、又はＬＦＩ（長繊維射出）により得られる剛性のポリウレタン層であってもよいし、或いは、剛性熱可塑性材料、例えば、ＰＶＣ、ＡＢＳ及びＳＭＡで作られたものであってもよい。
【００２４】
しかしながら、本発明の方法の利点は、成形品の捩り剛性又は曲げ剛性を一層強くするかかる裏層をスキンが成形される金型内にも設けることができるということにある。
【００２５】
図３は、例えば、金型を閉じる前に、構造的裏層又は剛性キャリヤ１０を上側金型部品１１に取り付け、発泡可能な配合物をスキン９の裏面の上に注ぎ込む更なる工程を示している。図４に金型の閉鎖状態を示す。この状態では、発泡可能な組成物は、発泡して金型キャビティをフォーム層１２で充填すると共に構造的裏層１０をスキン９の裏側に一体化している。発泡可能な組成物を開放金型内に流し込む代わりに、これを特にＲＩＭ法に従って閉鎖金型内に射出してもよい。フォーム層は、好ましくは、ポリウレタン材料で作られる。
【００２６】
別の変形実施形態では、フォーム層１２をスキン層９の裏面に吹き付けてもよい。それに引続く工程では、構造的裏層を得るための反応性混合物をフォーム層の裏面に吹き付け、又は、金型を閉じて、構造的裏層を得るための反応性混合物をフォーム層の裏側でこの閉鎖金型内に射出してもよい。フォーム層の場合と全く同様、構造的裏層は、好ましくは、ポリウレタン材料で作られる。種々の裏層をこの実施形態において被着させることができる方法及びその組成に関するそれ以上の詳細に関しては、国際公開第９３／２３２３７号パンフレットを参照されたい。
【００２７】
さらに別の変形実施形態では、中間フォーム層を任意的に省くことができ、構造的裏層を特にＲＩＭ法、例えばより具体的には、Ｓ−ＲＩＭ、Ｒ−ＲＩＭ又はＬＦＩ、或いはこれらに類似した方法によりスキンの裏面に直接吹付け又は成形してもよい。この実施形態では、剛性裏層は、必ずしも、ポリウレタン材料である必要はなく、国際公開第００／２３２３９号パンフレットに開示されているように溶融状態でポリウレタンスキン層９の裏面に射出された熱可塑性材料で作ってもよい。これら熱可塑性材料は、例えば、ポリプロピレン（ＰＰ）、ポリカーボネート（ＰＣ）、アクリニトリルブタジエン−スチロール（ＡＢＳ）、ＡＢＳ配合物、アクリルエステル−スチロール−アクリルニトリル（ＡＳＡ）、ポリスチロール（ＰＳ）、熱可塑性ポリウレタン（ＴＰＵ）又はこれらの混合物、或いは、これら配合物のうちの任意のものと更に別の熱可塑性材料の混合物を含む。
【００２８】
スキン９及び任意使用の裏層を成形した後、成形品を脱型する。図５に示すように、最初に、スライダ３，４を矢印１３に従って引っ込め、そして、図６に示すように、成形品及び可撓性ライナーが取り付けられた上側金型部品１１を下側金型部品から取り外す。次の段階においては、可撓性ライナー６を、特に最初に図６及び図７に示す矢印１４の方向に成形品から引っ張る。ライナー６は、アンダーカット１５の存在にもかかわらず、容易に取り出すことができるような弾性を備えた弾性材料で作られている。最後に、成形品を図８に示すように上側金型部品１１から取り出す。
【００２９】
図５〜図８に示す脱型工程の変形実施形態では、最初に、上側金型部品１１を取り外し、ライナー６及び成形品を下側金型部品１内に残すようにする。次に、スライダ３，４を引っ込め、ライナー６をわきに引っ張って、ライナー６を基本金型部分２から取り除かないで成形品を取り出すことができるようにしてもよい。この実施形態の利点は、次の成形品又は内装品を成形する前、ライナー全体を再び金型内に再位置決めする必要がないということにある。
【００３０】
図示の方法では、厚手のフォーム層１２がアンダーカット１５内に被着され、構造的裏層１０を下側金型部品１内に容易に挿入することができるようにしている。しかしながら、構造的裏層１０は、アンダーカット１５内に延びていてもよい。この場合、構造的裏層を下側金型部品１内に挿入することができるようにするために、スライダ３，４を引っ込め、スキンが成形被着された可撓性ライナー又はホースを構造的裏層の挿入を可能にするのに十分な距離にわたってわきへ引っ張るのがよい。いったん挿入すると、スライダ、スキン及びライナーをこれらの最初の位置に戻すのがよい。
【００３１】
ライナー及びスキン層をわきへ引っ張る必要がなくても厚手のフォーム層がアンダーカット１５内に被着されるのを防止するため、１以上のスライダを有する上側金型部品を用いて、この金型部品を下側金型部品内に挿入することができるようにしてもよい。次に、構造的裏層をスキンの裏面（又は、任意的に、フォーム裏層の裏面）と上側金型部品との間に形成された金型キャビティ内で成形することができる。当然のことながら、構造的裏層を上述したように吹き付ける場合、フォーム層の厚さも又アンダーカット内で減少させることができる。
【００３２】
図９では、本発明の特定の実施形態が示されており、この場合、スキン層９の成形前にあらかじめ製造されたインサート１６を、可撓性ライナー６によって形成された金型表面７上に位置決めする。インサート１６の表面と可撓性ライナー６との間へのスキン材料の侵入を回避するため、このライナーは、直立した縁部１７を備え、この直立した縁部は、その間にインサート１６を位置決めてそれによりシールを形成する場合、インサート１６の周縁部に当接する。
【００３３】
本発明の方法及び金型の幾つかの特定の実施形態についての上述の説明から特許説明の範囲に記載された本発明の範囲から逸脱することなく、かかる実施形態についての多くの変形例を想到できることは明らかである。
【図面の簡単な説明】
【図１】  外側ポリウレタンスキン層、中間フォーム層及び構造的裏層を有する成形品、特にダッシュボードを製造する本発明の方法の工程を概略的に示す複数の図の１つである。
【図２】  外側ポリウレタンスキン層、中間フォーム層及び構造的裏層を有する成形品、特にダッシュボードを製造する本発明の方法の工程を概略的に示す複数の図の１つである。
【図３】  外側ポリウレタンスキン層、中間フォーム層及び構造的裏層を有する成形品、特にダッシュボードを製造する本発明の方法の工程を概略的に示す複数の図の１つである。
【図４】  外側ポリウレタンスキン層、中間フォーム層及び構造的裏層を有する成形品、特にダッシュボードを製造する本発明の方法の工程を概略的に示す複数の図の１つである。
【図５】  外側ポリウレタンスキン層、中間フォーム層及び構造的裏層を有する成形品、特にダッシュボードを製造する本発明の方法の工程を概略的に示す複数の図の１つである。
【図６】  外側ポリウレタンスキン層、中間フォーム層及び構造的裏層を有する成形品、特にダッシュボードを製造する本発明の方法の工程を概略的に示す複数の図の１つである。
【図７】  外側ポリウレタンスキン層、中間フォーム層及び構造的裏層を有する成形品、特にダッシュボードを製造する本発明の方法の工程を概略的に示す複数の図の１つである。
【図８】  外側ポリウレタンスキン層、中間フォーム層及び構造的裏層を有する成形品、特にダッシュボードを製造する本発明の方法の工程を概略的に示す複数の図の１つである。
【図９】  図３と類似しているが、下側金型部品の相互移動可能な金型部分上に配置される可撓性ライナーの変形実施形態に関する図である。
【図１０】  種々の図に示されたライナーの変形実施形態を示す図である。
【図１１】  可撓性ライナーで部分的に覆われているに過ぎない下側金型部品の変形実施形態を示す図である。
【図１】
0004636779.tif 000002
【図２】
0004636779.tif 000003
【図３】
0004636779.tif 000004
【図４】
0004636779.tif 000005
【図５】
0004636779.tif 000006
【図６】
0004636779.tif 000007
【図７】
0004636779.tif 000008
【図８】
0004636779.tif 000009
【図９】
0004636779.tif 000010
【図１０】
0004636779.tif 000011
【図１１】
0004636779.tif 000012